(57)【特許請求の範囲】
【請求項１】
樹脂シートから成形され、嵌合凸部を備えた蓋部と、樹脂シートから成形され、嵌合凹部を備えた本体部とを備え、
前記嵌合凸部が前記嵌合凹部に嵌め合わせられて、前記蓋部が前記本体部に内嵌合される包装用容器であって、
前記本体部の嵌合凹部の底面の少なくとも一部に、上方へ突出する本体内当て部と、当該本体内当て部より外側に凹部を備え、
前記凹部の底面の少なくとも一部は、前記嵌合凹部の底面よりも低くなっており、
さらに、前記蓋部の嵌合凸部の底面に、下方へ突出する蓋体内当て部を設け、
当該蓋体内当て部は、嵌合時に前記本体内当て部の少なくとも一部の外側に位置することを特徴とする包装用容器。
【請求項２】
前記蓋体内当て部の少なくとも一部は、前記本体部の凹部に収容可能なことを特徴とする請求項１に記載の包装用容器。 
【発明の詳細な説明】
【技術分野】
【０００１】
本願発明は、側方からの外力がかかっても蓋体が容器本体から外れにくい包装用容器に関し、特に、シート成形（例えば、真空成形、圧空成形、熱盤成形）によって製造される包装用容器に関する。
【背景技術】
【０００２】
従来から、内容物を収容する容器本体と、その容器本体に嵌め合わされる蓋体とからなる包装用容器であって、容器本体の開口縁部内側の嵌合凹部に、蓋体の嵌合凸部を内嵌合するものが知られている。そして、このタイプの包装用容器には、様々なデザインのものがあるが、軽量化や外観を重視して、全体が薄肉で、側面に補強用のリブ等を設けないタイプの包装用容器がある。ただ、このタイプの包装用容器では、例えば、ユーザが包装用容器を持った際に、側方から不用意に外力が加えられると、嵌合部分が変形して、蓋体が容器本体から外れてしまうことがあり、内容物が漏れ出てしまう虞がある。
【０００３】
そこで、図６に示す、特許文献１の包装用容器１０００は、容器本体８００の嵌合凹部８３０に本体内当て部８５０を設けている。具体的には、側方から外力が加わり、蓋体９００の嵌合凸部９３０が容器内側に押し込まれそうになっても、嵌合凸部９３０が本体内当て部８５０に当接するので、嵌合状態は維持され、蓋体９００が容器本体８００から外れてしまうのを防止している。
【０００４】
ところで、この容器本体８００は、樹脂シートを用いて、シート成形（例えば、真空成形、圧空成形、熱盤成形）によって製造されるものであり、例えば雌型を用いた真空成形においては、加熱して軟化させた樹脂シートの下側から金型を押し当て、樹脂シートと金型との間の空気を減圧吸引し、樹脂シートを金型に密着させて、容器本体８００を製造している。
【０００５】
しかしながら、図６に示す包装用容器１０００では、大きく突出する本体内当て部８５０の分だけ、本体内当て部８５０を含む側壁８２０の高さＨ３（言い換えると、容器底部から本体内当て部の先端までの内側高さＨ３）が高くなってしまう。すると、真空成形等のシート成形時に、本体内当て部８５０の内側（側壁８２０側）に樹脂シートが金型と均一に密着しにくくなり、当該部分にシワが発生してしまう。また、本体内当て部８５０の内側に仕切りを形成した容器の場合も、真空成形等のシート成形時に、中央仕切りの付け根部分において仕切りの長さ方向にシートが引き延ばされる事で、樹脂シートが金型と均一に密着しにくくなり、当該部分にシワが発生してしまう。
【先行技術文献】
【特許文献】
【０００６】
【特許文献１】特許４９２９３２０号
【発明の概要】
【発明が解決しようとする課題】
【０００７】
そこで、本願発明は、上記問題に鑑み、シート成形時に、内当て部内側にシワが発生するのを抑えることができ、尚且つ、外力が加わっても蓋部が外れにくい包装用容器を提供する。
【課題を解決するための手段】
【０００８】
上記課題を解決するために、本願発明の請求項１に係る包装用容器は、樹脂シートから成形され、嵌合凸部を備えた蓋部と、樹脂シートから成形され、嵌合凹部を備えた本体部とを備え、前記嵌合凸部が前記嵌合凹部に嵌め合わせられて、前記蓋部が前記本体部に内嵌合される包装用容器であって、前記本体部の嵌合凹部の底面の少なくとも一部に、上方へ突出する本体内当て部と、当該本体内当て部より外側に凹部を備え、前記凹部の底面の少なくとも一部は、前記嵌合凹部の底面よりも低いことを特徴とする。
【０００９】
上記特徴によれば、嵌合凹部の底面より低い位置に凹部を設けたことで、本体内当て部の内側高さ（つまり、容器底部から本体内当て部の先端までの高さ）を、従来技術と比較して、低くしつつ、本体内当て部の外側高さ（つまり、凹部の底面から本体内当て部の先端までの高さ）を稼ぐことができる。その結果、従来と同様に、蓋部が外れにくい効果を維持しつつ、本体内当て部の内側高さが低くなったので、シート成形時に本体内当て部内側にシワが発生するのを抑えることができる。
【００１０】
また、内当て部を設けたことで、蓋部と本体部との嵌合時に側方から外力が加わっても、蓋部の嵌合凸部の少なくとも一部が内当て部に当接して、嵌合状態を維持することができ、不用意に蓋部が外れるのを防止する。さらに、本体部の嵌合凹部に本体内当て部を設けたことで、当該嵌合凹部全体の剛性が上がる。そのため、外力が加わっても、嵌合部分が容易に変形することがなく、不用意に蓋部が外れてしまうのを更に防止できる。
【００１１】
さらに、本願発明の請求項１に係る包装用容器は、前記蓋部の嵌合凸部の底面に、下方へ突出する蓋体内当て部を設け、当該蓋体内当て部は、嵌合時に前記本体内当て部の少なくとも一部の外側に位置することを特徴とする。
【００１２】
上記特徴によれば、蓋部と本体部との嵌合時に側方から外力が加わっても、下方へ突出した蓋体内当て部が本体内当て部の一部に確実に当接して、嵌合状態を維持することができ、不用意に蓋部が外れるのをより確実に防止する。
【００１３】
さらに、本願発明の請求項２に係る包装用容器は、前記蓋体内当て部の少なくとも一部は、前記本体部の凹部に収容可能なことを特徴とする。
【００１４】
上記特徴によれば、蓋体内当て部の少なくとも一部が本体部の凹部に収容可能なので、側方から外力が加わっても、蓋体内当て部の少なくとも一部が、凹部のいずれかの部分に当接して、嵌合状態がより強固に維持される。
【発明の効果】
【００１５】
本願発明の包装用容器は、シート成形時に、内当て部内側にシワが発生することを抑えることができ、尚且つ、外力が加わっても蓋体が外れにくい。
【図面の簡単な説明】
【００１６】
【図１】（ａ）は本願発明の包装用容器の蓋部の平面図、（ｂ）はＡ−Ａ端面図、（ｃ）はＢ−Ｂ端面図である。
【図２】本願発明の包装用容器の本体部の全体斜視図である。
【図３】（ａ）は本願発明の包装用容器の本体部の平面図、（ｂ）はＣ−Ｃ端面図、（ｃ）はＤ−Ｄ端面図である。
【図４】（ａ）は本願発明の包装用容器の本体部と蓋部とを嵌合させた状態の平面図、（ｂ）はＥ−Ｅ端面図、（ｃ）はＦ−Ｆ端面図である。
【図５】（ａ）は、図４（ｃ）における嵌合部分付近を拡大表示した図、（ｂ）は、本願発明の包装用容器の本体部の変形例を示す図である。
【図６】本願発明の従来技術を示す包装用容器であって、嵌合部分付近の断面図である。
【符号の説明】
【００１７】
１００    蓋部
１３０    嵌合凸部
２００    本体部
２３０    嵌合凹部
２３１    底面
２５０    本体内当て部
２６０    凹部
２６１    底面
３００    包装用容器
【発明を実施するための形態】
【００１８】
以下に、本願発明の実施の形態について、図面を用いて説明する。なお、本明細書において、「上方」とは、包装用容器の本体部の開口面を上にして水平面上に載置した際に、鉛直方向における上方に向かう方向のことであり、「下方」とは鉛直方向における下方に向かう方向のことである。
【００１９】
まず、図１には、本願発明の包装用容器３００の蓋部１００を示す。図に示すように、蓋部１００は下方に開口した浅皿型形状であり、平面視略長方形の天板１１０と、当該天板１１０の端部から立ち下がるように形成された側壁１２０とを有している。この側壁１２０の下端部には嵌合凸部１３０が設けられ、さらに、この嵌合凸部１３０より外側には略水平方向へ延びる蓋フランジ部１４０が設けられている。これら側壁１２０、嵌合凸部１３０、及び蓋フランジ部１４０は、蓋部１００の周方向へ全周にわたり連続して設けられている。
【００２０】
また、蓋部１００の相対する長尺方向の嵌合凸部１３０のみに、嵌合凸部１３０の底面１３１から下方へ突出する蓋体内当て部１５０を２つ設けている。なお、この蓋体内当て部１５０は、直線状の連続した突起形状をしているが、蓋体内当て部１５０の形状は、これに限定されず、蓋部１００の外形に合わせて湾曲させたり、任意の位置に断続的に複数設けてもよい。
【００２１】
次に、図２及び図３には、本願発明の包装用容器３００の本体部２００を示す。図に示すように、本体部２００は、上方に開口した浅皿型形状であり、平面視略長方形の底板２１０と、当該底板２１０の端部から立ち上がるように形成された側壁２２０とを有している。この底板２１０の四隅には、脚部２１１が設けられており、側壁２２０と連続している。さらに、側壁２２０の上端には嵌合凹部２３０が設けられ、さらに、この嵌合凹部２３０より外側には略水平方向へ延びる本体フランジ部２４０が設けられている。これら側壁２２０、嵌合凹部２３０、及び本体フランジ部２４０は、本体部２００の周方向へ全周にわたり連続して設けられている。
【００２２】
また、嵌合凹部２３０の底面２３１の一部であって、本体部２００の長手方向の相対する位置に、上方へ突出する本体内当て部２５０を設けている。さらに、この本体内当て部２５０の外側の底面２３１の一部に、凹部２６０を設けている。この本体内当て部２５０と凹部２６０は隣接すると共に、図１に示す蓋体内当て部１５０と対応する位置に配置されている。
【００２３】
なお、本体内当て部２５０及び凹部２６０を、底面２３１の一部である長手方向の相対する位置に、２つ設けているが、これに限られず、底面２３１の任意の位置に複数設けてもよい。また、本体内当て部２５０は直線状の連続した突起形状、凹部２６０は直線状の連続した溝形状をしているが、これらの形状は、本体部２００の外形に合わせて湾曲させたり、任意の位置に断続的に複数設けてもよい。
【００２４】
なお、本実施形態に係る蓋部１００及び本体部２００は、シート成形（例えば、真空成形、圧空成形、熱盤成形）可能な、厚さが約０．１５ｍｍから０．５０ｍｍ程度のシート状の素材を用いるものであり、例えば、蓋部１００の素材としては、Ａ−ＰＥＴ・二軸延伸ポリスチレン・ポリプロピレンを、本体部２００の素材としては、Ａ−ＰＥＴ・フィラー入りポリプロピレン・ポリスチレン・ポリプロピレンを用いることができる。また、蓋部１００及び本体部２００は、平面視略長方形であるが、この他にも、例えば、平面視略円形、平面視多角形など、適宜変更することできる。
【００２５】
では、次に、図１に示す蓋部１００を、図２及び図３に示す本体部２００へ被蓋した状態の包装用容器３００について、図４を参照して説明する。
【００２６】
図４（ａ）から（ｃ）に示すように、包装用容器３００の縁部の全周にわたり、蓋部１００の嵌合凸部１３０が本体部２００の嵌合凹部２３０に内嵌合しているので、容器外へ収容物等が漏れ出ることはない。また、図４（ａ）に示すように、蓋部１００の蓋フランジ部１４０のコーナー部付近は、本体部２００の本体フランジ部２４０から少し浮くように形成されているので、この部分は、蓋部１００を持ち上げて開封する際の摘まみ部１４１となる。
【００２７】
次に、図４（ｂ）には、包装用容器３００の長手方向のＥ−Ｅ端面図を示しているが、嵌合凸部１３０の底面１３１と嵌合凹部２３０の底面２３１は、対応した形状（本実施例では、互いに略水平な平坦面となっている）をしている。これは、蓋部１００の上方から押しつけるように外力が加わっても、嵌合凸部１３０の底面１３１と嵌合凹部２３０の底面２３１とが互いに密着するように当接して、蓋部１００がガタつかず安定させることが出来るからである。
【００２８】
また、蓋部１００の嵌合凸部１３０は、本体部２００の嵌合凹部２３０に内嵌合した状態でも、嵌合凸部１３０の底面１３１と嵌合凹部２３０の底面２３１の間には僅かな隙間Ｘ（クリアランス）が存在する。この隙間Ｘは、蓋部１００や本体部２００が外力によって多少歪み、互いの位置姿勢がズレたとしても、そのズレを許容して嵌合した状態を維持できる効果を発揮できるように、最適な大きさに設定されており、この隙間Ｘが小さ過ぎると十分にこの効果が発揮できず、逆に大き過ぎると、蓋部１００の上方から押しつけるように外力が加わった際に、嵌合凸部１３０の底面１３１と嵌合凹部２３０の底面２３１とが互いに当接できず、かえって歪みが生じてしまい、蓋がガタつき安定した嵌合状態を維持できないのである。なお、この隙間Ｘ（クリアランス）は、０．２ｍｍから１ｍｍにするのが最適である。
【００２９】
一方、図４（ｃ）は、包装用容器３００の短手方向のＦ−Ｆ端面図を示しており、蓋部１００の嵌合凸部１３０が本体部２００の嵌合凹部２３０に内嵌合し、蓋部１００の蓋体内当て部１５０の先端が、本体部２００の凹部２６０内に収容されている。
【００３０】
詳しくは後述するが、この凹部２６０は、本体内当て部２５０の外側高さを稼ぐために設けたものであり、本体内当て部２５０に隣接するようにして配置される。そして、図４（ｂ）と図４（ｃ）を比較するとわかるように、凹部２６０は、嵌合凹部２３０の全周に亘り設けるのではなく、その一部（本実施例では、包装用容器３００の長手方向の相対する２カ所）に設けている。その理由は、仮に、嵌合凹部２３０の全周に亘り凹部２６０を設けたとすると、凹部２６０の深さの分だけ、図４（ｂ）に示す隙間Ｘが大きくなってしまい、蓋部１００の上方から押しつけるように外力が加わった際に、嵌合凸部１３０の底面１３１と嵌合凹部２３０の底面２３１とが互いに当接できず、蓋がガタつき安定した嵌合状態を維持できないからである。なお、上記事項を勘案して、凹部２６０は嵌合凹部２３０全周の８０％以内、また、凹部２６０を設けていない嵌合凹部２３０の底面２３１は容器全周の２０％より大きく形成するのが望ましい。
【００３１】
では、次に、図４における蓋部１００と本体部２００の嵌合部分を拡大して示した図５（ａ）を参照して、当該嵌合部分について、さらに詳しく説明する。
【００３２】
図５（ａ）に示すように、蓋部１００と本体部２００の嵌合時には、蓋体内当て部１５０を含む嵌合凸部１３０は本体内当て部２５０の外側に位置している。そのため、例えば、ユーザが包装用容器３００を把持し、蓋部１００や本体部２００の側方から外力が加わって（図５（ａ）の矢印参照）、蓋部１００の嵌合凸部１３０が内側に押し込められそうになっても、嵌合凸部１３０及び蓋体内当て部１５０は、本体内当て部２５０に当接して押し込まれないので、嵌合凸部１３０と嵌合凹部２３０との嵌合状態が維持される。したがって、不用意に蓋部１００が外れてしまうのを防止できる。
【００３３】
また、嵌合凹部２３０の一部に本体内当て部２５０を設けたことで、嵌合凹部２３０全体の剛性が上がり、外力が加わっても、嵌合凹部２３０は変形し難くなった。同様に、嵌合凸部１３０の一部に蓋体内当て部１５０を設けたことで、嵌合凸部１３０全体の剛性が上がり、外力が加わっても、嵌合凸部１３０は変形し難くなった。そのため、ユーザが包装用容器のフランジ部等を把持して外力を加えても、嵌合凸部１３０と嵌合凹部２３０の嵌合部分が容易に変形することがなく、不用意に蓋部１００が外れてしまうのを防止できる。
【００３４】
なお、蓋体内当て部１５０を設けない場合であっても、側方から力が加わった際に、嵌合凸部１３０の少なくとも一部、例えば、底面１３１の内側側面が本体内当て部２５０の先端側に当接するので、嵌合凸部１３０と嵌合凹部２３０との嵌合状態は維持される。ただ、嵌合凸部１３０の底面１３１から下方に突出する蓋体内当て部１５０を追加で設けることで、例えば、蓋部１００が変形して上方に浮いた状態で嵌合するといった、意図しない状況が起きても、下方へ突出した蓋体内当て部１５０が本体内当て部２５０に確実に当接し、嵌合凸部１３０と嵌合凹部２３０との嵌合がより確実に維持されるのである。また、下方に突出する蓋体内当て部１５０と、上方へ突出する本体内当て部２５０は、互いの突出した、相対する面同士で、強固に当接するので、嵌合状態を強固に維持できるのである。
【００３５】
また、図５（ａ）に示すように、蓋体内当て部１５０の先端は凹部２６０内に収容されている。そのため、側方から力が加わっても、蓋体内当て部１５０の一部が凹部２６０のいずれかの内面に当接するので、嵌合凸部１３０と嵌合凹部２３０との嵌合がより強固に維持される。したがって、不用意に蓋部１００が外れてしまうのを、より効果的に防止できる。
【００３６】
また、嵌合凹部２３０の一部に凹部２６０を設けたことで、嵌合凹部２３０自体の剛性が上がり、さらに、嵌合凸部１３０と嵌合凹部２３０とが嵌合した際に、凹部２６０に蓋体内当て部１５０の一部が収容されるため、嵌合部分全体の剛性が更に上がる。そのため、外力が加わっても、嵌合部分が容易に変形することがなく、不用意に蓋部１００が外れてしまうのを更に防止できる。
【００３７】
ではここで、本願発明の包装用容器３００では、図６に示す従来の包装用容器１０００と比較して、シート成形時に、本体内当て部２５０の内側にシワが発生し難いことについて説明する。
【００３８】
まず、図５（ａ）に示す体部２００の本体内当て部２５０は、図６に示す従来技術の本体内当て部８５０と同じ目的で設けたものである。この本体内当て部８５０には、内側高さＨ３と外側高さＨ４があり、内側高さＨ３は、容器本体８００の底部から本体内当て部８５０の先端までの高さ（または、側壁８２０の高さでもある）で、外側高さＨ４とは、嵌合凹部８３０の最下部、つまり図６では嵌合凹部８３０の底面８３１から本体内当て部８５０の先端までの高さである。そして、側方から力が加わった際に、嵌合凸部９３０が本体内当て部８５０に当接して、蓋部９００が外れないようにするには、適切な外側高さＨ４が必要である。ただ、その外側高さＨ４を確保するために、本体内当て部８５０を高く突出せざるを得ず、必然的に、突出させた分だけ内側高さＨ３が高くなってしまう。
【００３９】
しかしながら、本願発明では、図５（ａ）に示すように、本体内当て部２５０に隣接する外側に、嵌合凹部２３０の底面２３１よりも底面が低い凹部２６０を設けたことで、嵌合凹部２３０の最下部である凹部２６０の底面２６１から本体内当て部２５０の先端までの高さ、つまり本体内当て部２５０の外側高さＨ２を、従来と同じ外側高さＨ４と同じ高さに維持しつつ、本体部２００の底部から本体内当て部２５０の先端までの高さ（または、側壁２２０の高さでもある）、つまり、内側高さＨ１を、従来の内側高さＨ３より低くできる。すなわち、凹部２６０の深さ分だけ、本体内当て部２５０の外側高さＨ２が稼げるので、内側高さＨ１を、従来の内側高さＨ３より低くできたのである。その結果、従来と同様に蓋部が外れ難い効果は維持しつつ、従来と比較して内側高さが低くなったので、シート成形時に、本体内当て部２５０の内側（側壁２２０側）に樹脂シートが均一に密着しやすくなり、当該部分にシワが発生しにくい効果を得ることができるのである。
さらに、本体部２００の中央仕切りは、本体内当て部２５０の内側にあるため、真空成形等のシート成形時においては、中央仕切りの付け根部分において仕切りの長さ方向にシートが引き延ばされる事で、樹脂シートが金型と均一に密着しにくくなり、シワが発生しやすい部分であるが、本願発明によって、当該部分にシワが発生しにくい効果を得ることができるのである。
【００４０】
ここで、本願発明の各要素の一例について、具体的な数値を挙げて説明する。まず、シート成形時に、本体内当て部２５０の内側（側壁２２０側）にシワが発生しにくい効果を得るために、本体内当て部２５０の内側高さＨ１を７ｍｍから４０ｍｍ、外側高さＨ２を２ｍｍから３．５ｍｍにするのが好ましい。また、側方から力が加わっても、蓋体内当て部１５０と本体内当て部２５０とが当接して嵌合状態が維持され、蓋部１００が不用意に外れてしまうのを防止するために、蓋体内当て部１５０の底面１３１から突出する高さを１．５ｍｍから３．５ｍｍにするのが好ましい。さらに、本体内当て部２５０の外側高さＨ２を稼ぐために、及び蓋体内当て部１５０の先端を収容して蓋部１００が不用意に外れてしまうのをより効果的に防止するために、凹部２６０の深さ（言い換えると、凹部２６０の底面２６１から嵌合凹部２３０の底面２３１までの高さ）を１ｍｍから２ｍｍにするのが好ましい。
【００４１】
では、次に、本願発明の変形例について、図５（ｂ）を参照して説明する。なお、図５（ｂ）で示す変形例では、凹部の形状が、図２から図５（ａ）に示す実施例の凹部２６０とは異なるだけで、他の構成は同一であるため、他の構成の詳細は省略する。
【００４２】
図５（ｂ）に示すように、本体部４００の嵌合凹部４３０の底面４３１の一部に、略半円形状の凹部４６０を設けている。そして、凹部４６０の深さは任意であるが、本変形例では、本体内当て部４５０の先端から凹部４６０の最下部までの高さ、つまり本体内当て部４５０の内側高さＨ５が、図５（ａ）に示す内側高さＨ２と同じになるように、設定している。また、不図示であるが、蓋部の蓋体内当て部の形状も、凹部４６０の形状に合わせて、略半円形状にしてもよい。
【００４３】
このように、凹部４６０の形状は、本体内当て部４５０の外側高さを稼ぐことができて、蓋体内当て部の先端を収容できる凹形状であれば、任意の形状に適宜変更することができる。また、本体内当て部４５０の形状は、側方から外力が加わった際に、蓋部の嵌合凸部と又は蓋体内当て部と当接可能な形状であれば、任意の形状を採用することができ、図５（ｂ）に示す本体内当て部４５０よりも、幅を太く又は細く設定したり、先端を平坦状や曲面状にしてもよい。
【００４４】
なお、本願発明の包装用容器は、上記の実施例に限定されず、特許請求の範囲に記載された範囲、実施形態の範囲で、種々の変形例、組み合わせが可能であり、これらの変形例、組み合わせもその権利範囲に含むものである。
【図１】
0006452143.tif 000002
【図２】
0006452143.tif 000003
【図３】
0006452143.tif 000004
【図４】
0006452143.tif 000005
【図５】
0006452143.tif 000006
【図６】
0006452143.tif 000007